(57)【要約】【課題】写真付き年賀状の如く印刷業者やＤ．Ｐ．Ｅ店に大量に印刷を依頼するのではなく、セルフサービスで任意にプリントできる写真付きポストカードの製作、販売システムを得る。【解決手段】利用者が本発明のポストカード販売用端末機を設置する店舗や集客施設に出向き、プリントされた写真や、デジタルカメラのメモリーカード等のメディアから写真情報をポストカードにプリントし、送付先の氏名や住所、送り主の住所氏名、通信文等を共に印刷して、ハガキとして出力して購入するものである。【選択図】図１
2006133973.tif 000002
【特許請求の範囲】
【請求項１】
郵便局、コンビニエンス・ストアー、Ｄ．Ｐ．Ｅ店等の店舗内や、ホテルロビー等の集客施設内に設置されるポストカード販売用端末機には、写真プリント用紙からなるハガキの販売用ＡＴＭ機、該写真プリント用紙からなるハガキに客が持ち込むプリントされた写真を複写する複写機、また前記プリント用紙からなるハガキに各種メディアからの写真情報を取り込み任意にプリントして写真付きポストカードとして仕上げるプリンター装置、並びに該ポストカードに送付先の住所、氏名、送り主の住所氏名、通信文等を入力し印刷する入力装置が内装されており、該ポストカード販売用端末機はインターネットにてポストカード販売管理会社の管理用コンピューターに接続されていること、
を特徴とする写真付きポストカードのセルフ製作・販売システム。
【請求項２】
郵便局、コンビニエンス・ストアー、Ｄ．Ｐ．Ｅ店等の店舗内、あるいは、ホテルロビー等の集客施設内に設置される複数台のポストカード販売用端末機には、写真プリント用紙からなるハガキの販売用ＡＴＭ機、該写真プリント用紙からなるハガキに客が持ち込むプリントされた写真を複写する複写機、また前記プリント用紙からなるハガキに各種メディアからの写真情報を取り込み任意にプリントして写真付きポストカードに仕上げるプリンター装置、並びに該ポストカードに送付先の住所、氏名、送り主の住所氏名、通信文等を入力して印刷する入力装置が内装されており、該それぞれの店舗や集客施設に設置された複数のポストカード販売用端末、ポストカード販売管理会社の管理用コンピューター、自動支払い用にクレジット会社端末、プリペイドカード会社端末、銀行・郵便局端末をそれぞれインターネットで接続しネットワークを構築したこと、
を特徴とする写真付きポストカードのセルフ製作・販売システム。
【請求項３】
前記ポストカード販売用端末機が販売する写真プリント用紙からなるハガキが日本郵政公社の切手代が含まれたハガキであること、
を特徴とする請求項１または請求項２何れかに記載の写真付きポストカードのセルフ製作・販売システム。
【請求項４】
前記ポストカード販売用端末機が販売する写真プリント用紙からなるハガキが日本郵政公社の切手代が含まれた四面連刷ハガキであり、前記ポストカード販売用端末機内に四面連刷ハガキのカッターを内蔵すること、
を特徴とする請求項１または請求項２何れかに記載の写真付きポストカードのセルフ製作・販売システム。
【請求項５】
前記ポストカード販売用端末機が販売するハガキは日本郵政公社の切手代が含まれた普通ハガキ、または前記普通ハガキと同様の用紙やサイズを有した私製ハガキや写真プリント用紙からなる私製ハガキ、並びに私製の四面連刷ハガキであること、
を特徴とする請求項１または請求項２何れかに記載の写真付きポストカードのセルフ製作・販売システム。
【請求項６】
前記ポストカード販売用端末機には現金並びに電子マネーカード専用のＡＴＭ機が配設されており、該ＡＴＭ機は完成した写真付きポストカードの販売代金の決済に対して領収書を発行できる機能を有していること、
を特徴とする請求項１または請求項２何れかに記載の写真付きポストカードのセルフ製作・販売システム。
【請求項７】
前記ポストカード販売用端末機に内蔵される宛先の住所の書き込みは郵便番号から検索して都道府県市町村名を選択して入力すること、
を特徴とする請求項１または請求項２何れかに記載の写真付きポストカードのセルフ製作・販売システム。
【請求項８】
前記ポストカード販売用端末機には年賀状、暑中見舞い、結婚、転居、出産、七五三、入学、地域限定観光パターン等あらゆる生活シーンに対応するひな形やフレームパターンがポストカードのコンテンツとして用意されており任意に選択可能であること、
を特徴とする請求項１または請求項２何れかに記載の写真付きポストカードのセルフ製作・販売システム。
【発明の詳細な説明】
【技術分野】
【０００１】
本発明は、郵便局、コンビニエンス・ストアー、Ｄ．Ｐ．Ｅ店等の店舗内、または、ホテルロビー等の集客施設に設置される写真付きポストカードのセルフ製作・販売システムに関するものである。
【０００２】
本発明は、利用者が本発明のポストカード販売用端末機を設置する店舗や集客施設に出向いたり、旅行中に立ち寄り、既にプリントされた写真や、デジタルカメラのメモリーカード等のメディアから写真情報をポストカードにプリントし、送付先の氏名や住所、送り主の住所氏名、通信文等を共に印刷して、郵便料金支払い済みのハガキとして出力して購入するものであり、該写真付きポストカードの製作は、１枚から４枚の少数枚単位でオリジナルの写真付きポストカードが製作でき、気楽に郵送できる写真付きポストカードのセルフ製作・販売システムを提供するものである。  
【背景技術】
【０００３】
従来、写真付きポストカードの需要は、圧倒的に年賀状であった。しかし、写真付き年賀状は、５０枚から１００枚以上と大量に製作され使用されることが多いので、印刷業者やＤ．Ｐ．Ｅ店に各自利用者が気に入りの写真を持ち込み、日数的な余裕を見て製作を依頼することが多かった。そして、特に写真付き年賀状の製作は、季節的商品であり、製作日数がかかることや割高であることが欠点であった。
【発明の開示】
【発明が解決しようとする課題】
【０００４】
本発明が解決しようとする課題は、印刷業者やＤ．Ｐ．Ｅ店に依頼して写真付きポストカードを製作するのではなく、利用者が本発明のポストカード販売用端末機を設置する店舗や集客施設に出向き、既にプリントされた写真や、デジタルカメラのメモリーカード等のメディアから写真情報をポストカードにプリントし、送付先の氏名や住所、送り主の住所氏名、通信文等を共に印刷して、ハガキとして出力して購入するものであり、該写真付きポストカードは１枚から４枚の少数枚単位で任意に製作でき、その写真や印刷パターンもそれぞれ変えることができて、気楽に郵送できる写真付きポストカードのセルフ製作・販売システムを提供するものである。
【０００５】
また、本発明は、セルフサービスにて写真付きポストカードをその場で利用者が仕上げて、投函することができるために、従来の如く印刷業者や、Ｄ．Ｐ．Ｅ店に製作を依頼しての日数的な待ち時間を全く必要とせず、またその製作枚数も１枚から４枚以上で任意に選択して短時間で製作でき、結果その購入費用も安価な写真付きポストカードのセルフ製作・販売システムを提供するものである。
【０００６】
また、本発明は、ポストカード販売用端末機内に年賀状、暑中見舞い、結婚、転居、出産、七五三、入学等あらゆる生活シーンに対応するひな形や、フレームパターンがポストカードのコンテンツとして用意されていて、それらを任意に選択することで、容易にいろいろな写真付きポストカードが作成できるポストカードのセルフ製作・販売システムを提供するものである。
【０００７】
更にまた、本発明は、旅行中に本発明のポストカード販売用端末機を設置するホテルロビーや、郵便局、コンビニ等の店舗に立ち寄り、気楽に旅の報告を写真付きポストカードで家族や友人に届けたり、参加したイベントの報告を即、写真付きポストカードに製作していろいろな方に送ることができるもので、新規郵便事業を創設、発展させるものである。
【課題を解決するための手段】
【０００８】
本発明は、郵便局、コンビニエンス・ストアー、Ｄ．Ｐ．Ｅ店等の店舗内や、ホテルロビー等の集客施設内に設置されるポストカード販売用端末機に、写真プリント用紙からなるハガキの販売用ＡＴＭ機、該写真プリント用紙からなるハガキに客が持ち込むプリントされた写真を複写する複写機、また前記プリント用紙からなるハガキに各種メディアからの写真情報を取り込んで任意にプリントし写真付きポストカードとして仕上げるプリンター装置、並びに該ポストカードに宛先の住所、氏名、送り主の住所氏名、通信文等を入力して印刷する入力装置が内装されており、該ポストカード販売用端末機はインターネットでポストカード販売管理会社の管理用コンピューターに接続されていることを特徴とする写真付きポストカードのセルフ製作・販売システムである。
【０００９】
そして、上記写真付きポストカードは、郵便料金を支払い済みの写真プリント用ハガキ等をポストカード販売用端末機に内蔵しておき、該写真プリント用ハガキに対して、利用者がポストカード販売用端末機の入力システムを使用して各種情報を入力することで写真付きポストカードに仕上げて購入するものである。
【００１０】
本発明は、郵便局、コンビニエンス・ストアー、Ｄ．Ｐ．Ｅ店等の店舗内や、ホテルロビー等の集客施設内に設置される複数台のポストカード販売用端末機には、写真プリント用紙からなるハガキの販売用ＡＴＭ機、該写真プリント用紙からなるハガキに客が持ち込むプリントされた写真を複写する複写機、また前記プリント用紙からなるハガキに各種メディアからの写真情報を取り込んで任意にプリントして写真付きポストカードに仕上げるプリンター装置、並びに該ポストカードに送付先の住所、氏名、送り主の住所氏名、通信文等を入力して印刷する入力装置が内装されており、該それぞれの店舗や集客施設に設置された複数のポストカード販売用端末、ポストカード販売管理会社の管理用コンピューター、自動支払い用にクレジット会社端末、プリペイドカード会社端末、銀行・郵便局端末をそれぞれインターネットで接続してネットワークを構築したことを特徴とする写真付きポストカードのセルフ製作・販売システムである。
【００１１】
本発明において、ポストカード販売用端末機が販売する写真プリント用紙からなるハガキは、日本郵政公社の切手代が含まれたハガキとすることを特徴とする写真付きポストカードのセルフ製作・販売システムである。
【００１２】
本発明において、ポストカード販売用端末機が販売する写真プリント用紙からなるハガキは、日本郵政公社の切手代が含まれた四面連刷ハガキとし、前記ポストカード販売用端末機内に四面連刷ハガキのカッターを内蔵することを特徴とする写真付きポストカードのセルフ製作・販売システムである。
【００１３】
本発明において、ポストカード販売用端末機が販売するハガキは、日本郵政公社の切手代が含まれた普通のハガキ、または前記普通ハガキと同様の用紙やサイズを有した私製ハガキや写真プリント用紙からなる私製ハガキ、並びに私製の四面連刷ハガキであることを特徴とする写真付きポストカードのセルフ製作・販売システムである。
【００１４】
上記において、普通ハガキとは日本郵政公社の切手代が含まれた官製普通ハガキでであり、また、私製ハガキとは任意に写真や宛名、通信文を入力して完成させたハガキに切手を貼着してポストに投函するもので、本発明はこれらの選択が任意にできることで、外国郵便等にも対応できる。  
【００１５】
本発明において、ポストカード販売用端末機には、現金並びに電子マネーカード専用のＡＴＭ機が配設されており、該ＡＴＭ機は完成した写真付きポストカードの販売代金の決済に対して領収書を発行できる機能を有していることを特徴とする写真付きポストカードのセルフ製作・販売システムである。
【００１６】
本発明において、ポストカード販売用端末機に内装される送付先の住所の書き込みは、郵便番号から検索して都道府県市町村名を選択して入力することを特徴とする写真付きポストカードのセルフ製作・販売システムである。
【００１７】
本発明において、ポストカード販売用端末機には、年賀状、暑中見舞い、結婚、転居、出産、七五三、入学、地域限定観光パターン等あらゆる生活シーンに対応するひな形や、フレームがポストカードのコンテンツとして用意されていて任意に選択可能であることを特徴とする写真付きポストカードのセルフ製作・販売システムである。
【発明の効果】
【００１８】
而して、本発明は、印刷業者やＤ．Ｐ．Ｅ店に依頼して写真付きポストカードを製作するのではなく、利用者が本発明のポストカード販売用端末機を設置する店舗や集客施設に出向き、既にプリントされた写真や、デジタルカメラのメモリーカード等のメディアから写真情報をポストカードにプリントし、送付先の氏名や住所、送り主の住所氏名、通信文等を共に印刷して、ハガキとして出力して、購入するもので、該写真付きポストカードは少数枚単位で製作することができて気楽に郵送できる写真付きポストカードのセルフ製作・販売システムを提供することができた。
【００１９】
また、本発明では、セルフサービスで、写真付きポストカードをその場で仕上げて、投函することができるために、従来の如く印刷業者や、Ｄ．Ｐ．Ｅ店に製作依頼しての日数的な待ち時間を必要とせず、製作枚数も１枚から１００枚以上を短時間で製作でき、その費用も安価な写真付きポストカードのセルフ製作・販売システムを提供することができた。
【００２０】
また本発明では、ポストカード販売用端末機内に年賀状、暑中見舞い、結婚、転居、出産、七五三、入学、等あらゆる生活シーンに対応するひな形やフレームパターンがポストカードのコンテンツとして用意されているので、それらを任意に選択することで、容易にいろいろな写真付きポストカードが作成できるポストカードのセルフ製作・販売システムを提供することができた。
【００２１】
更にまた、本発明では、利用者が旅行中に本発明のポストカード販売用端末機を設置するホテルや、店舗に立ち寄り、気楽に旅の報告を写真付きポストカードで家族や友人に届けたり、参加したイベントの報告を即、写真付きポストカードに製作していろいろな方に送ることができるもので、新規郵便事業を創設発展させることができる。
【発明を実施するための最良の形態】
【００２２】
本発明を実施するための最良の形態は、郵便局、コンビニエンス・ストアー、Ｄ．Ｐ．Ｅ店等の店舗内や、、ホテルロビー等の集客施設内に設置されるポストカード販売用端末機に、写真プリント用紙からなるハガキの販売用ＡＴＭ機、該写真プリント用紙からなるハガキに客が持ち込むプリントされた写真を複写する複写機、また前記プリント用紙からなるハガキに各種メディアからの写真情報を取り込んで任意にプリントし写真付きポストカードとして仕上げるプリンター装置、並びに該ポストカードに送付先の住所、氏名、送り主の住所氏名、通信文等を入力して印刷する入力装置が内装されており、該ポストカード販売用端末機はインターネットでポストカード販売管理会社の管理用コンピューターに接続されている写真付きポストカードのセルフ製作・販売システムを構築したことである。
【００２３】
本発明において、郵便局、コンビニエンス・ストアー、Ｄ．Ｐ．Ｅ店等の店舗内や、ホテルロビー等の集客施設内に設置される複数台のポストカード販売用端末機には、写真プリント用紙からなるハガキの販売用ＡＴＭ機、該写真プリント用紙からなるハガキに客が持ち込むプリントされた写真を複写する複写機、また前記プリント用紙からなるハガキに各種メディアからの写真情報を取り込んで任意にプリントして写真付きポストカードに仕上げるプリンター装置、並びに該ポストカードに送付先の住所、氏名、送り主の住所氏名、通信文等を入力して印刷する入力装置が内装されており、該それぞれの店舗や集客施設に設置された複数のポストカード販売用端末、ポストカード販売管理会社の管理用コンピューター、自動支払い用にクレジット会社端末、プリペイドカード会社端末、銀行・郵便局端末をそれぞれインターネットで接続してネットワークを構築した写真付きポストカードのセルフ製作・販売システムである。
【００２４】
本発明において、ポストカード販売用端末機が販売する写真プリント用紙からなるハガキは、日本郵政公社の切手代（郵便料金）が含まれたハガキとする写真付きポストカードのセルフ製作・販売システムであることも好ましい。
【００２５】
本発明において、ポストカード販売用端末機が販売する写真プリント用紙からなるハガキは、日本郵政公社の切手代（郵便料金）が含まれた四面連刷ハガキとし、前記ポストカード販売用端末機内に四面連刷ハガキのカッターを内蔵する写真付きポストカードのセルフ製作・販売システムであることも好ましい。
【００２６】
本発明において、ポストカード販売用端末機が販売するハガキは、日本郵政公社の切手代が含まれた普通ハガキ、または前記普通ハガキと同様の用紙やサイズを有した私製ハガキや、写真プリント用紙からなる私製ハガキ、並びに私製の四面連刷ハガキであることも好ましい。
【００２７】
また、本発明において、ポストカード販売用端末機には現金並びに電子マネーカード専用のＡＴＭ機が配設されており、該ＡＴＭ機は完成した写真付きポストカードの販売代金の決済に対して領収書を発行できる機能を有している写真付きポストカードのセルフ製作・販売システムであることも好ましい。
【００２８】
更に本発明において、ポストカード販売用端末機に内蔵される宛先の住所の書き込みは郵便番号から検索して都道府県市町村選択して入力する写真付きポストカードのセルフ製作・販売システムであることも好ましい。
【００２９】
本発明において、ポストカード販売用端末機には年賀状、暑中見舞い、結婚、転居、出産、七五三、入学、地域限定観光パターン等あらゆる生活シーンに対応するひな形やフレームが、ポストカードのコンテンツとして用意されていて任意に選択可能である写真付きポストカードのセルフ製作・販売システムであることもまた好ましい。
【実施例１】
【００３０】
本発明の一実施例を図１並びに図２に基き説明する。図１は本発明の実施の形態を説明する写真付きポストカードのセルフ製作・販売システムの構成を示すブロック図である。また図２は本発明の実施例に係る写真付きポストカードのセルフ製作・販売システムに対する各種操作及び該システムの流れを示すフローチャート図である。
【００３１】
而して、本発明の実施例の構成を図１を参照にして説明する。本発明の写真付きポストカードのセルフ製作・販売システムは、基本的に郵便局、コンビニエンス・ストアー、Ｄ．Ｐ．Ｅ店等の店舗内や、ホテルロビー等の集客施設内に設置される複数台のポストカード販売用端末機1a、１ｂ、１ｃ・・・とポストカード販売管理会社の管理用コンピューター２がインターネット３等のネットワークで接続された構成をなしている。
【００３２】
そして、本実施例では、ポストカード販売用端末機１a、１ｂ、１ｃ・・・に、写真プリント用紙からなるハガキの販売用ＡＴＭ機、該写真プリント用紙からなるハガキに客が持ち込むプリントされた写真を複写する複写機、また前記プリント用紙からなるハガキに各種メディアからの写真情報を取り込んで任意にプリントし写真付きポストカードとして仕上げるプリンター装置、並びに該ポストカードに送付先の住所、氏名、送り主の住所氏名、通信文等を入力して印刷する入力装置が内装しており、該ポストカード販売用端末機１a、１ｂ、１ｃ・・・はインターネット３でポストカード販売管理会社の管理用コンピューター２に接続されている写真付きポストカードのセルフ製作・販売システムを構築している。    
【００３３】
また、本実施例では、上記基本形態に付加して、図１に示す如く利便性を重視し、ポストカードの製作販売代金を、現金、または電子マネーカードにて支払い可能ととするために、前記複数のポストカード販売用端末機1a、１ｂ、１ｃ・・・とポストカード販売管理会社の管理用コンピューター２、そして、クレジット会社の端末機４、プリペイドカード会社端末機５、銀行並びに郵便局端末機６にインターネット３にて接続されている。
【００３４】
斯くして、前記ポストカード販売用端末機1a、１ｂ、１ｃ・・・は、現金並びに電子マネーカード専用ＡＴＭとなっており、該電子マネーカードは、例えば、クレジット会社系のものはクレジットカードを代金支払いに使用し、該クレジットカードの中には、ＩＣ及びメモリーチップを埋め込んであり、利用者がクレジット会社との契約で予め決められている限度内の金額を移動させることができ、購入代金の支払いができる。
【００３５】
また、プリペイドカード会社のカードも前記同様に、該クレジットカードの中には、ＩＣ及びメモリーチップを埋め込んであり代金支払いに使用でき、この場合には、予めプリペイドカード会社に一定金額を課金しておけば電子マネーカードとして使用できる。
【００３６】
更に、銀行系や郵便局系のものは、キャッシュカードの中にＩＣ及びメモリーチップを埋め込み、該記憶装置内に利用者の基本情報と共に預金口座の残高を確保しておき、該預金残高の中から必要な金額を移動させて、購入代金の支払いを行う形の電子マネーである。
【００３７】
而して、本実施例において、使用される写真付きポストカードの購入代金支払い方法は、現金であったり、上記クレジット会社の電子マネーであったり、プリペイドカード会社の電子マネーであったり、また銀行、郵便局のキャッシュカードからなる電子マネーである。
【００３８】
そして本実施例におけるポストカード販売用端末機1a、１ｂ、１ｃ・・・が販売する写真プリント用紙からなるハガキは、日本郵政公社の切手代（郵便料金）が含まれたハガキとする写真付きポストカードのセルフ製作・販売システムである。
【００３９】
また、本実施例におけるポストカード販売用端末機1a、１ｂ、１ｃ・・・が販売する写真プリント用紙からなるハガキは、日本郵政公社の切手代（郵便料金）が含まれた四面連刷ハガキとし、前記ポストカード販売用端末機1a、１ｂ、１ｃ・・・内に四面連刷ハガキのカッターを内蔵する写真付きポストカードのセルフ製作・販売システムであり、場合によっては前記四面連刷ハガキのカッターは、ポストカード販売用端末機１a、１ｂ、１ｃ・・・の近辺に外付けで備え付けられることも任意に選択できることである。
【００４０】
また、本実施例におけるポストカード販売用端末機1a、１ｂ、１ｃ・・・が販売するハガキは、日本郵政公社の切手代が含まれた普通ハガキ、または前記普通ハガキと同様の用紙やサイズを有した私製ハガキや、写真プリント用紙からなる私製ハガキ、並びに私製の四面連刷ハガキであることを特徴とする写真付きポストカードのセルフ製作・販売システムであり、その印刷媒体紙は、所謂切手代の含まれた官製ハガキであったり、後で切手を貼着する私製ハガキを始めに選択できる。
【００４１】
また、本実施例のポストカード販売用端末機1a、１ｂ、１ｃ・・・には、現金並びに電子マネーカード専用のＡＴＭ機が配設されており、該ＡＴＭ機は完成した写真付きポストカードの販売代金の決済に対して領収書を発行できる機能を有している写真付きポストカードのセルフ製作・販売システムである。
【００４２】
また、本実施例のポストカード販売用端末機1a、１ｂ、１ｃ・・・に内蔵される宛先の住所の書き込みは、郵便番号から検索して都道府県市町村名を選択して入力することが可能な写真付きポストカードのセルフ製作・販売システムである。
【００４３】
更にまた、本実施例のポストカード販売用端末機1a、１ｂ、１ｃ・・・・には、年賀状、暑中見舞い、結婚、転居、出産、七五三、入学、地域限定観光パターン等あらゆる生活シーンに対応するひな形や、フレームパターンがポストカードのコンテンツとして用意されていて任意に選択可能である写真付きポストカードのセルフ製作・販売システムである。
【００４４】
そして、本実施例においては、ポストカード販売用端末機1a、１ｂ、１ｃ・・・等の利用者は、目的に応じてポストカードのひな形や、フレームパターンを選択し、該パターンと予めプリントされたお気に入りの写真を複合するか、、デジタルカメラのメモリーカード等のメディアから写真情報をポストカードにプリントすると同時にパターンを選択して複合することにより写真付きポストカードを作成して、該ポストカードに送付先住所氏名、送り主名、通信文を入力してプリントする。
【００４５】
斯くして、上記ポストカード用紙は、予め郵便料金を納付したハガキ形状写真用紙であり、該ハガキは、ポストカード販売用端末機1a、１ｂ、１ｃ・・・内に内蔵されて販売される一枚一枚のハガキであったり、高速プリントを実現するためにハガキ四枚が１シートになっている四面連刷ハガキを使用することが実施されている。
【００４６】
次に、図２を参照して、本発明の写真付きポストカードのセルフ製作・販売システム実施例の動作について説明する。
該図２は、本発明の実施例に係る写真付きポストカードのセルフ製作・販売システムの流れを示すフローチャート図である。  
【００４７】
図２において、店舗内や集客施設に設置されポストカード販売用端末機1a、１ｂ、１ｃには、日頃から更新コンテンツの配信がポストカード販売管理会社の管理用コンピュータ２から行われており（ステップＳ１００）、年賀状、暑中見舞い、結婚、転居、出産、七五三、入学、地域限定観光パターン等あらゆる生活シーンに対応するひな形やフレームパターンがポストカードのコンテンツとしてポストカード販売用端末機1a、１ｂ、１ｃに配信されている（ステップＳ１０１）。
【００４８】
斯くして、ポストカード販売用端末機1a、１ｂ、１ｃに利用者が現れ、該ポストカード販売用端末機は、該利用者の情報を読み込み（ステップＳ１０２）、ポストカード販売管理会社の管理用コンピューター２に送信する。
【００４９】
ポストカード販売管理会社の管理用コンピューター２は、利用者情報を受信して（ステップＳ１０３）、該利用者情報を記録することで、後に市場調査資料とする。
次に、ポストカード販売用端末機1a、１ｂ、１ｃは、それぞれ利用客の注文情報を読み込み、注文情報をポストカード販売管理会社の管理用コンピューター２に送信する（ステップＳ１０４）。
【００５０】
ポストカード販売管理会社の管理用コンピューター２は、上記注文情報を受信して（ステップＳ１０５）、該当するポストカード販売用端末機１a、１ｂ、１ｃに注文情報の再送信を行って（ステップＳ１０６）、確認を取り、当該ポストカード販売用端末機１a、１ｂ、１ｃにそれぞれ内装されている複写機、プリンター装置、文字入力装置等のハードウェアを駆動させ写真付きポストカードの製作・プリントを行う（ステップＳ１０７）。
【００５１】
而して、本発明は、出来上がった写真付きポストカードを利用客に受け渡すに当たり、ポストカード販売用端末機1a、１ｂ、１ｃは、支払い方法の指示、並びに支払い金額請求を行うと同時に電子マネーカード情報を送信する（ステップＳ１０８）。また、現金支払いの場合には利用客が、ポストカード販売用端末機にそれぞれ設けられた現金投入機に現金を投入することで、出来上がった写真付きポストカードを受け取ることができる。
【００５２】
そして、前記ポストカード販売用端末機1a、１ｂ、１ｃが送信したステップＳ１０８は、ポストカード販売管理会社の管理用コンピューター２と、クレジット会社、プリペイドカード会社、銀行、郵便局の端末機４、５，６に代金支払い方法、支払い金額、電子マネーカード情報を送信し、ポストカード販売管理会社の管理用コンピューター２、並びにクレジット会社、プリペイドカード会社、銀行、郵便局の端末４，５，６は、それらを受信する（ステップＳ１０９，ステップS１１０）。
【００５３】
斯くして、ポストカード販売用端末機1a、１ｂ、１ｃは、領収書の発行と写真付きポストカード（商品）の受け渡しを行い（ステップＳ１１１）、クレジット会社、プリペイドカード会社、銀行、郵便局の端末機４、５、６は、代金の決済をポストカード販売管理会社のコンピューター２に送信し（ステップＳ１１２）、該ポストカード販売管理会社のコンピューター２は代金の決済を受信して（ステップＳ１１３）、記録を残す。
【００５４】
斯くして，本実施例は、印刷業者やＤ．Ｐ．Ｅ店に依頼して写真付きポストカードを製作するのではなく、利用者が本発明のポストカード販売用端末機を設置する店舗や集客施設に出向き、既にプリントされた写真やデジタルカメラのメモリーカード等のメディアから写真情報をポストカードにプリントし、送り先の氏名や住所、送り主の住所氏名、通信文等を共に印刷して、ハガキとして出力して、購入するもので、該写真付きポストカードは少数枚単位で製作することができて、気楽に郵送できる写真付きポストカードのセルフ製作・販売システムを提供することができた。
【００５５】
また、本実施例では、セルフサービスで写真付きポストカードをその場で仕上げて、投函することができるために、従来の如く印刷業者や、Ｄ．Ｐ．Ｅ店に製作依頼しての日数的な待ち時間を必要とせず、製作枚数も１枚から１００枚以上と短時間で製作でき、その費用も安価な写真付きポストカードのセルフ製作・販売システムを提供することができた。
【産業上の利用可能性】
【００５６】
本発明は、ポストカード販売用端末機内に年賀状、暑中見舞い、結婚、転居、出産、七五三、入学、等あらゆる生活シーンに対応するひな形やフレームパターンがポストカードのコンテンツとして用意されていて、それらを任意に選択することで、容易にいろいろな写真付きポストカードが作成できるポストカードのセルフ製作・販売システムを提供するばかりでなく、利用者が旅行中に本発明のポストカード販売用端末機を設置するホテルや、店舗に立ち寄り気楽に旅の報告を写真付きポストカードで家族や友人に届けたり、参加したイベントの報告を即、写真付きポストカードに製作していろいろな方に送ることができるもので、新規郵便事業を創設、発展させることの可能性を多大に有するもであり、その産業上の利用価値は顕著なものがある。
【図面の簡単な説明】
【００５７】
【図１】本発明の実施例を示すブロック図である。
【図２】本発明のシステムの流れを示すフローチャート図である。
【符号の説明】
【００５８】
１a、１ｂ、１ｃ・・・  ポストカード販売用端末機
２  ポストカード販売管理会社の管理用コンピューター２  
３  インターネット
４  クレジット会社端末機
５  プリペイドカード会社端末機
６  銀行・郵便局端末機
【図１】
2006133973.tif 000003
【図２】
2006133973.tif 000004